(57)【特許請求の範囲】
【請求項１】
環状のコンロバーナで囲われるバーナ内方空間に挿通される上下方向に長手の支持パイプの上端部に上方に付勢して支持される、感熱素子を内蔵する感熱ヘッドを有する鍋底温度センサを備え、天板上の五徳に調理容器を載置したときに、感熱ヘッドが調理容器の底面に当接して押し下げられるようにしたガスコンロであって、
五徳に調理容器が載置されているか否かを検出するために、感熱ヘッドが押し下げられたときにオンする検出スイッチを備えるものにおいて、
感熱ヘッドに、支持パイプに対し感熱ヘッドを上方に付勢する単一のばねと、検出スイッチとが収納され、検出スイッチは、ばねを挟んで上下方向に対峙する第１と第２の接点部材を有し、ばねが所定量圧縮されたときに第１接点部材と第２接点部材とが接触して、検出スイッチがオンするようにし、
第１接点部材と前記第２接点部材は互いに嵌合可能な形状に形成され、第１接点部材と第２接点部材とが接触して前記検出スイッチがオンした後も感熱ヘッドの押し下げが可能であることを特徴とするガスコンロ。
【請求項２】
請求項１記載のガスコンロであって、
前記第１接点部材は、前記ばねの下端を受ける、前記支持パイプに対し固定のばね受けで構成される本体を有し、この本体に、前記検出スイッチの一対のリード線に接続される一対の接点が互いに電気的に絶縁した状態で設けられ、
前記第２接点部材は、前記感熱ヘッドの上端部に固定され、ばねが所定量圧縮されたときに、第１接点部材の本体に設けた両接点に第２接点部材が接触し、両接点が第２接点部材を介して電気的に接続されて検出スイッチがオンすることを特徴とするガスコンロ。
【請求項３】
環状のコンロバーナで囲われるバーナ内方空間に挿通される上下方向に長手の支持パイプの上端部に上方に付勢して支持される、感熱素子を内蔵する感熱ヘッドを有する鍋底温度センサを備え、天板上の五徳に調理容器を載置したときに、感熱ヘッドが調理容器の底面に当接して押し下げられるようにしたガスコンロであって、
五徳に調理容器が載置されているか否かを検出するために、感熱ヘッドが押し下げられたときにオンする検出スイッチを備えるものにおいて、
感熱ヘッドに、支持パイプに対し感熱ヘッドを上方に付勢するばねとしてばね定数の異なる上下２個のばねと、検出スイッチとが収納され、これら２個のばねのうちばね定数の小さなものを第１ばね、ばね定数の大きなものを第２ばねとして、検出スイッチは、第１ばねを挟んで上下方向に対峙する第１と第２の接点部材を有し、第１ばねが所定量圧縮されたときに第１接点部材と第２接点部材とが接触して検出スイッチがオンし、
第１接点部材と第２接点部材との接触後は、第１ばねがそれ以上圧縮されることなく五徳に調理容器の底面が着座するまで第２ばねのみが圧縮されることを特徴とするガスコンロ。
【請求項４】
請求項３記載のガスコンロであって、
前記第１ばねは前記第２ばねの下側に配置され、
前記第１接点部材は、第１ばねの下端を受ける、前記支持パイプに対し固定のばね受けで構成される本体を有し、この本体に、前記検出スイッチの一対のリード線に接続される一対の接点が互いに電気的に絶縁した状態で設けられ、
前記第２接点部材は、第１ばねと第２ばねとの間に介設される中間ばね受けで構成され、第１ばねが所定量圧縮されたときに、第１接点部材の本体に設けた両接点に第２接点部材が接触し、両接点が第２接点部材を介して電気的に接続されて検出スイッチがオンすることを特徴とするガスコンロ。
【請求項５】
請求項３記載のガスコンロであって、
前記第１ばねは、前記第２ばねの下側に配置される導電材料製の板ばねで構成され、前記検出スイッチの一方のリード線が板ばねの下側の端部に接続され、
前記第１接点部材は、板ばねの下側の端部を受ける、前記支持パイプに対し固定のばね受けで構成される本体を有し、この本体に、検出スイッチの他方のリード線に接続される接点が板ばねの下側の端部に対し電気的に絶縁した状態で設けられ、
前記第２接点部材は、板ばねの上側の端部と第２ばねとの間に介設される中間ばね受けで構成され、板ばねが所定量圧縮されたときに、第２接点部材が板ばねの上側の端部を介して第１接点部材の本体に設けた接点に接触し、又は、板ばねの上側の端部に電気的に接続される第２接点部材の部分が第１接点部材の本体に設けた接点に接触して検出スイッチがオンすることを特徴とするガスコンロ。
【発明の詳細な説明】
【技術分野】
【０００１】
本発明は、環状のコンロバーナで囲われるバーナ内方空間に挿通される上下方向に長手の支持パイプの上端部に上方に付勢して支持される、感熱素子を内蔵する感熱ヘッドを有する鍋底温度センサを備え、天板上の五徳に調理容器を載置したときに、感熱ヘッドが調理容器の底面に当接して押し下げられるようにしたガスコンロに関する。
【背景技術】
【０００２】
従来、この種のガスコンロとして、五徳に調理容器が載置されているか否かを検出するために、感熱ヘッドが押し下げられたときにオンする検出スイッチを備えるものが知られている（例えば、特許文献１、２参照）。
【０００３】
具体的に説明すると、特許文献１に記載のものでは、支持パイプの外部の定位置に検出スイッチたるマイクロスイッチを固定し、感熱ヘッドが押し下げられたときにその下端部に固定したドグがマイクロスイッチのレバーを押して、マイクロスイッチがオンされるようにしている。
【０００４】
また、特許文献２に記載のものでは、支持パイプの外部の定位置に検出スイッチたるリードスイッチとこれに対向する永久磁石とを固定すると共に、感熱ヘッドと一緒に上下動し、感熱ヘッドの上動位置でリードスイッチと永久磁石との間に挿入される磁性体を設けて、感熱ヘッドが押し下げられたとき、磁性体がリードスイッチと永久磁石との間から下方に離脱して、永久磁石の磁界がリードスイッチに伝わり、リードスイッチがオンするようにしている。
【０００５】
ここで、特許文献１に記載のものでは、調理容器からの煮こぼれを生じたとき、マイクロスイッチに煮こぼれ汁がかかると、マイクロスイッチが故障することがある。そのため、マイクロスイッチに煮こぼれ汁がかからないようにカバーを設けることが必要になり、構造が複雑になってコストが高くなる不具合がある。また、特許文献２に記載のものも、リードスイッチ、永久磁石及び磁性体が必要で、コストが高くなる不具合がある。
【先行技術文献】
【特許文献】
【０００６】
【特許文献１】特開平８−８６４４５号公報
【特許文献２】特開２０１０−２５４２０号公報
【発明の概要】
【発明が解決しようとする課題】
【０００７】
本発明は、以上の点に鑑み、煮こぼれ汁による検出スイッチの故障を生じない低コストのガスコンロを提供することをその課題としている。
【課題を解決するための手段】
【０００８】
上記課題を解決するために、本発明は、環状のコンロバーナで囲われるバーナ内方空間に挿通される上下方向に長手の支持パイプの上端部に上方に付勢して支持される、感熱素子を内蔵する感熱ヘッドを有する鍋底温度センサを備え、天板上の五徳に調理容器を載置したときに、感熱ヘッドが調理容器の底面に当接して押し下げられるようにしたガスコンロであって、五徳に調理容器が載置されているか否かを検出するために、感熱ヘッドが押し下げられたときにオンする検出スイッチを備えるものにおいて、感熱ヘッドに、支持パイプに対し感熱ヘッドを上方に付勢するばねと、検出スイッチとが収納され、検出スイッチは、ばねを挟んで上下方向に対峙する第１と第２の接点部材を有し、ばねが所定量圧縮されたときに第１接点部材と第２接点部材とが接触して、検出スイッチがオンすることを特徴とする。
【０００９】
本発明によれば、五徳に調理容器を載置する際、感熱ヘッドの押し下げでばねが所定量圧縮されたところで第１接点部材と第２接点部材とが接触して検出スイッチがオンし、五徳に調理容器が載置されたことを検出できる。そして、感熱ヘッドに検出スイッチが収納されるため、検出スイッチに煮こぼれ汁がかかることはなく、煮こぼれ汁による検出スイッチの故障を特別なカバーを設けずに防止できる。また、ばねを挟んで上下方向に対峙する第１と第２の接点部材を設けるだけで検出スイッチを構成できるため、構造が簡単でコストダウンを図ることができる。
【００１０】
また、本発明においては、感熱ヘッドに、これを上方に付勢するばねとしてばね定数の異なる上下２個のばねが収納され、これら２個のばねのうちばね定数の小さなものを第１ばね、ばね定数の大きなものを第２ばねとして、第１と第２の接点部材は、第１ばねを挟んで上下方向に対峙し、第１ばねが所定量圧縮されたときに第１接点部材と第２接点部材とが接触して検出スイッチがオンするように構成することが望ましい。
【００１１】
ここで、感熱ヘッドを単一のばねで上方に付勢する場合、調理容器の底面に感熱ヘッドを確実に当接させる上で、ばね定数の比較的大きなばねを用いることが必要になるが、これでは、軽量の調理容器を空の状態で五徳に載置する際、感熱ヘッドが押し下げられず、調理容器が五徳上で大きく傾くと共に、検出スイッチがオンしなくなってしまうことがある。一方、上記の如く第１と第２の上下２個のばねで感熱ヘッドを上方に付勢すれば、調理容器が軽量であっても、感熱ヘッドがばね定数の小さな第１ばねを圧縮しつつ押し下げられ、調理容器が五徳上で大きく傾くことを防止できる。そして、第１ばねの圧縮により第１接点部材と第２接点部材とが接触して、五徳に調理容器が載置されたことを確実に検出できる。尚、五徳に調理容器の底面が着座した状態では、第２ばねも圧縮されるようにすることで、調理容器の底面に感熱ヘッドを確実に当接させることができる。
【００１２】
また、感熱ヘッドにこれを上方に付勢する単一のばねを収納する場合、第１接点部材と第２接点部材とが上下方向に対向する面で接触して検出スイッチがオンするように構成すると、ばねが所定量圧縮されて検出スイッチがオンしたところで感熱ヘッドをそれ以上押し下げられなくなる。そのため、底面が下方に丸く窪む中華鍋を五徳に載置する際、中華鍋の底面が五徳に着座する前に、感熱ヘッドが押し下げ不能となって、中華鍋を五徳に安定して載置できなくなる。この場合、第１接点部材と第２接点部材を互いに嵌合可能な形状に形成し、第１接点部材と第２接点部材とが接触して検出スイッチがオンした後も感熱ヘッドの押し下げが可能になるように構成すれば、中華鍋も五徳に安定して載置することができ有利である。
【００１３】
また、感熱ヘッドにこれを上方に付勢する単一のばねを収納する場合、第１接点部材は、ばねの下端を受ける、支持パイプに対し固定のばね受けで構成される本体を有し、この本体に、検出スイッチの一対のリード線に接続される一対の接点が互いに電気的に絶縁した状態で設けられ、第２接点部材は、感熱ヘッドの上端部に固定され、ばねが所定量圧縮されたときに、第１接点部材の本体に設けた両接点に第２接点部材が接触し、両接点が第２接点部材を介して電気的に接続されて検出スイッチがオンするように構成することが望ましい。また、感熱ヘッドに第１と第２の上下２個のばねを収納する場合は、第１ばねを第２ばねの下側に配置し、第１接点部材は、第１ばねの下端を受ける、支持パイプに対し固定のばね受けで構成される本体を有し、この本体に、検出スイッチの一対のリード線に接続される一対の接点が互いに電気的に絶縁した状態で設けられ、第２接点部材は、第１ばねと第２ばねとの間に介設される中間ばね受けで構成され、第１ばねが所定量圧縮されたときに、第１接点部材の本体に設けた両接点に第２接点部材が接触し、両接点が第２接点部材を介して電気的に接続されて検出スイッチがオンするように構成し、或いは、第１ばねを、第２ばねの下側に配置される導電材料製の板ばねで構成して、検出スイッチの一方のリード線を板ばねの下側の端部に接続し、第１接点部材は、板ばねの下側の端部を受ける、支持パイプに対し固定のばね受けで構成される本体を有し、この本体に、検出スイッチの他方のリード線に接続される接点が板ばねの下側の端部に対し電気的に絶縁した状態で設けられ、第２接点部材は、板ばねの上側の端部と第２ばねとの間に介設される中間ばね受けで構成され、板ばねが所定量圧縮されたときに、第２接点部材が板ばねの上側の端部を介して第１接点部材の本体に設けた接点に接触し、又は、板ばねの上側の端部に電気的に接続される第２接点部材の部分が第１接点部材の本体に設けた接点に接触して検出スイッチがオンするように構成することが望ましい。これによれば、感熱ヘッドの上下動で上下に動く第２接点部材に検出スイッチ用のリード線を配線する必要がなく、リード線の断線故障を防止する上で有利である。
【図面の簡単な説明】
【００１４】
【図１】本発明の実施形態のガスコンロを示す断面図。
【図２】（ａ）図１のコンロに設けられる鍋底温度センサの第１実施形態の断面図、（ｂ）感熱ヘッドを押し下げた状態の第１実施形態の断面図。
【図３】（ａ）図１のコンロに設けられる鍋底温度センサの第２実施形態の断面図、（ｂ）感熱ヘッドを押し下げた状態の第２実施形態の断面図。
【図４】（ａ）図１のコンロに設けられる鍋底温度センサの第３実施形態の断面図、（ｂ）感熱ヘッドを押し下げた状態の第３実施形態の断面図。
【発明を実施するための形態】
【００１５】
図１を参照して、１は、図示省略したコンロ本体の上面を覆う天板を示している。天板１には、バーナ用開口１ａが開設されており、コンロ本体に、バーナ用開口１ａに臨むようにコンロバーナ２を設置している。天板１上には、環状の五徳枠３１に放射状に複数の五徳爪３２を取り付けて成る五徳３がコンロバーナ２を囲うようにして設置されており、五徳３に載置する鍋等の調理容器がコンロバー２で加熱される。
【００１６】
コンロバーナ２は、混合管２１に連なる環状のバーナボディ２２と、バーナボディ２２上に載置され、バーナボディ２２との間に炎口２３ａを画成する環状のバーナキャップ２３と、バーナキャップ２３上に載置され、バーナキャップ２３との間に二次空気通路を画成する環状の二次空気ガイド板２４とを備える公知の環状バーナで構成されている。また、コンロバーナ２の外周には、点火電極２５と火炎検知のための熱電対２６とが付設されている。更に、コンロバーナ２で囲われるバーナ内方空間を通してコンロバーナ２の上方に突出する鍋底温度センサ４が設置されている。
【００１７】
鍋底温度センサ４は、バーナ内方空間に挿通される上下方向に長手の支持パイプ４１と、支持パイプ４１の上端部に支持される感熱ヘッド４２とを備えている。支持パイプ４１は、図示省略した固定具でコンロバーナ２に対し固定される。感熱ヘッド４２は、図２に示す如く、調理容器の底面に当接する集熱板４２ａと、集熱板４２ａで上端が閉塞される内筒４２ｂと、内筒４２ｂを囲う遮熱用の外筒４２ｃとを備え、集熱板４２ａの下面に、集熱板４２ａを介して調理容器の温度を検出するサーミスタ等の感熱素子４３が取り付けられている。
【００１８】
内筒４２ｂは、支持パイプ４１の上端に固定したばね受け４４ａに上下動自在に外挿されており、このばね受け４４ａと集熱板４２ａとの間に介設されるばね４４を感熱ヘッド４２に収納して、支持パイプ４１に対し感熱ヘッド４２をばね４４により上方に付勢している。また、内筒４２ｂの下端部には縮径した段差部４２ｄが形成されており、五徳３に調理容器を載せない自由状態では、感熱ヘッド４２がばね受け４４ａの下面への段差部４２ｄの当接で規制される上動端位置に保持される。この上動端位置では、感熱ヘッド４２が五徳３よりも上方に突出している。そして、五徳３に調理容器を載置したとき、感熱ヘッド４２が調理容器の底面に当接してばね４４の付勢力に抗して押し下げられ、集熱板４２ａがばね４４の圧縮反力で調理容器の底面に確実に当接するようにしている。
【００１９】
感熱素子４３からのびるリード線４３ａは、支持パイプ４１に挿通され、その下端から外部に引き出されて制御手段たるコントローラ５に接続される（図１参照）。コントローラ５は、感熱素子４３で検出した調理容器の温度が所定の過熱温度に上昇したとき、コンロバーナ２の火力を弱めたり消火したりする制御を行う。尚、リード線４３ａには比較的剛性の高い被覆４３ｂが外挿されており、感熱ヘッド４２の上下動に追従してリード線４３ａが支持パイプ４１内で撓むことなく上下動する。
【００２０】
また、感熱ヘッド４２には、五徳３に調理容器が載置されているか否かを検出するために、感熱ヘッド４２が押し下げられたときにオンする検出スイッチ６が収納されている。そして、検出スイッチ６がオフであるときは、オンであるときとは異なるコンロバーナ２の制御、例えば、コンロバーナ２の点火を禁止する点火制限制御や、コンロバーナ２の燃焼中に検出スイッチ６がオフしたときに火力を弱めたり消火したりする燃焼制限制御をコントローラ５が行うようにしている。以下、検出スイッチ６について詳述する。
【００２１】
検出スイッチ６は、ばね４４を挟んで上下方向に対峙する第１接点部材６１と第２接点部材６２とを有している。本実施形態では、第１接点部材６１を、ばね４４の下端を受ける、支持パイプ４１に対し固定のセラミックス等の絶縁材料製の上記ばね受け４４ａで構成される本体を有するものとし、第２接点部材６２を、感熱ヘッド４２の上端部、即ち、集熱板４２ａに固定した金属等の導電材料製の部材で構成している。また、第１接点部材６１と第２接点部材６２とを互いに嵌合可能な形状に形成している。具体的には、第１接点部材６１の本体を上方にのびる筒状に形成し、第２接点部材６２を第１接点部材６１の本体の内周面に嵌合可能な下方にのびる筒状に形成している。
【００２２】
第１接点部材６１の本体の第２接点部材６２が嵌合する周面、即ち、内周面には、検出スイッチ６用の一対のリード線６ａ，６ｂに接続される一対の接点６３，６４が互いに電気的に絶縁された状態で設けられている。リード線６ａ，６ｂは、支持パイプ４１に挿通され、その下端から外部に引き出されてコントローラ５に接続される（図１参照）。
【００２３】
これによれば、五徳３に調理容器を載置する際、感熱ヘッド４２の押し下げでばね４４が所定量圧縮されたとき、図２（ｂ）に示す如く、第２接点部材６２が第１接点部材６１に接触（嵌合）して検出スイッチ６がオンする。具体的には、第１接点部材６１の本体に設けた接点６３と接点６４に第２接点部材６２が接触し、両接点６３，６４が第２接点部材６２を介して電気的に接続されて検出スイッチ６がオンする。上記所定量は、調理容器の底面が五徳３に着座するまで感熱ヘッド４２が押し下げられたときのばね４４の圧縮量と同等か若干小さく設定されており、検出スイッチ６がオンしたか否かで五徳３に調理容器が載置されたか否かを検出できる。そして、感熱ヘッド４２に検出スイッチ６が収納されるため、検出スイッチ６に煮こぼれ汁がかかることはなく、煮こぼれ汁による検出スイッチ６の故障を特別のカバーを設けることなく防止できる。また、ばね４４を挟んで上下方向に対峙する第１と第２の接点部材６１，６２を設けるだけで検出スイッチ６を構成できるため、構造が簡単でコストダウンを図ることができる。
【００２４】
ところで、第１接点部材６１の上端面に一対の接点６３，６４を設け、ばね４４が所定量圧縮されたときに、第２接点部材６２の下端面が第１接点部材６１の上端面（両接点６３，６４）に接触して、両接点６３，６４が電気的に接続されるように検出スイッチ６を構成することも可能である。然し、この場合には、第２接点部材６２が第１接点部材６１に接触すると、感熱ヘッド４２をそれ以上押し下げられなくなる。そのため、底面が下方に丸く窪む中華鍋を五徳３に載置する際、中華鍋の底面が五徳に着座する前に、感熱ヘッド４２が押し下げ不能となって、中華鍋を五徳３に安定して載置できなくなる。一方、本実施形態では、第２接点部材６２が第１接点部材６１に嵌合するため、第２接点部材６２が第１接点部材６１に接触して検出スイッチ６がオンした後も感熱ヘッド４２を押し下げることができ、上記の不具合を生じない。
【００２５】
次に、図３に示す第２実施形態について説明する。第２実施形態では、感熱ヘッド４２に、これを上方に付勢するばねとしてばね定数が比較的小さな第１ばね４４１と、ばね定数が比較的大きな第２ばね４４２との上下２個のばねを収納し、検出スイッチ６を構成する第１と第２の接点部材６１，６２が第１ばね４４１を挟んで上下方向に対峙するようにしている。
【００２６】
ここで、第１ばね４４１は、第２ばね４４２の下側に配置されている。そして、第１ばね４４１の下端を受ける、支持パイプ４１に対し固定の絶縁材料製のばね受け４４ａで第１接点部材６１の本体を構成し、第１ばね４４１とその上側の第２ばね４４２との間に介設する導電材料製の中間ばね受け４４ｂで第２接点部材６２を構成している。第１接点部材６１の本体上端面には、検出スイッチ６用の一対のリード線６ａ，６ｂに接続されるピン状の一対の接点６３，６４が電気的に絶縁した状態で設けられている。そして、第１ばね４４１が所定量圧縮されたとき、図３（ｂ）に示す如く、第２接点部材６２が第１接点部材６１の両接点６３，６４に接触し、両接点６３，６４が第２接点部材６２を介して電気的に接続されて検出スイッチ６がオンするようにしている。尚、接点６３，６４の周面には、第１ばね４４１との間の絶縁のため、絶縁被膜を形成しておくことが望ましい。
【００２７】
ところで、感熱ヘッド４２を上記第１実施形態の如く単一のばね４４で上方に付勢する場合、調理容器の底面に感熱ヘッド４２を確実に当接させる上で、ばね定数の比較的大きなばねを用いることが必要になる。然し、これでは、軽量の調理容器を空の状態で五徳３に載置する際、感熱ヘッド４２が押し下げられず、調理容器が五徳３上で大きく傾くと共に、検出スイッチ６がオンしなくなってしまうことがある。一方、第２実施形態の如くばね定数の小さな第１ばね４４１とばね定数の大きな第２ばね４４２で感熱ヘッド４２を上方に付勢すれば、調理容器が軽量であっても、感熱ヘッド４２がばね定数の小さな第１ばね４４１を圧縮しつつ押し下げられ、調理容器が五徳３上で大きく傾くことを防止できる。そして、第１ばね４４１の圧縮により第２接点部材６２が第１接点部材６１の両接点６３，６４に接触して検出スイッチ６がオンし、五徳３に調理容器が載置されたことを確実に検出できる。
【００２８】
尚、第１ばね４４１の長さは、五徳３に調理容器の底面が着座する前に第１接点部材６１（接点６３，６４）と第２接点部材６２とが接触するように設定されており、この接触後に第２ばね４４２がある程度圧縮された状態で五徳３に調理容器の底面が着座するようにしている。そのため、軽量の調理容器を五徳３に載置した後、調理容器内に調理物を入れれば第２ばね４４２が圧縮され、その圧縮反力で調理容器の底面に感熱ヘッド４２を確実に当接させることができる。また、第２接点部材６２を第１接点部材６１に嵌合するように形成しなくても、第１接点部材６１と第２接点部材６２との接触後の感熱ヘッド４２の押し下げが許容されるため、中華鍋を五徳に支障なく載置できる。
【００２９】
ところで、上記第１実施形態と第２実施形態では、第１接点部材６１の本体（ばね受け４４ａ）を絶縁材料製としているが、これを金属製とし、各接点６３，６４を絶縁材を介して第１接点部材６１の本体に固定してもよい。また、第２接点部材６２の表面に両接点６３，６４に跨って接触可能な導体を取り付ければ、第２接点部材６２を絶縁材料製とすることも可能である。
【００３０】
また、上記第１実施形態や第２実施形態では、第１接点部材６１の本体に、検出スイッチ６用の一対のリード線６ａ，６ｂに接続される一対の接点６３，６４を設けているが、第１実施形態や第２実施形態の変形例として、第１接点部材６１の本体に検出スイッチ６用の一方のリード線６３ａに接続される接点６３のみを設け、第２接点部材６２に検出スイッチ６用の他方のリード線６ｂを接続し、或いは、第２接点部材６２を絶縁材料製の本体を有するものとして、第２接点部材６２の本体にリード線６ｂに接続される接点６４を設け、ばね４４や第１ばね４４１が所定量圧縮されたときに、第２接点部材６２或いは接点６４が接点６３に接触して検出スイッチ６がオンするように構成することも可能である。
【００３１】
また、第１実施形態及び第２実施形態の変形例として、第１接点部材６１を導電材料製、第２接点部材６２を絶縁材料製の本体を有するものとし、第２接点部材６２の本体に検出スイッチ６用の一対のリード線６ａ，６ｂに接続される一対の接点６３，６４を設けることも可能である。更に、第１接点部材６１と第２接点部材６２の少なくとも一方とばね４４又は第１ばね４４１との間に絶縁材を介設すれば、第１と第２の両接点部材６１，６２を共に導電材料製とし、各接点部材６１，６２に各リード線６ａ，６ｂを接続して、両接点部材６１，６２の接触で検出スイッチ６がオンするように構成することも可能である。
【００３２】
但し、第２接点部材６２は、感熱ヘッド４２の上下動で上下に動く可動部材であるため、リード線６ａ，６ｂの少なくとも一方を第２接点部材６２に配線することが必要になる上記変形例では、第２接点部材６２の上下動の繰り返しでリード線の断線を生ずる可能性がある。これに対し、第１実施形態及び第２実施形態では、検出スイッチ６用の一対のリード線６ａ，６ｂを可動部材たる第２接点部材６２に配線する必要がなく、リード線６ａ，６ｂの断線故障を防止する上で有利である。
【００３３】
次に、図４に示す第３実施形態について説明する。第３実施形態は、上記第２実施形態と同様に、感熱ヘッド４２に、ばね定数が比較的小さな第１ばね４４１と、ばね定数が比較的大きな第２ばね４４２とを収納しているが、第１ばね４４１は、第２実施形態のようなコイルばねではなく、第２ばね４４２の下側に配置される導電材料製の板ばね６５で構成されている。
【００３４】
また、第１接点部材６１は、板ばね６５の下側の端部を受ける、支持パイプ４１に対し固定の絶縁材料製のばね受け４４ａで構成される本体を有し、第２接点部材６２は、板ばね６５の上側の端部と第２ばね４４２との間に介設される中間ばね受け４４ｂで構成されている。板ばね６５の下側の端部は、第１接点部材６１の本体、即ち、ばね受け４４ａに固定され、当該端部に検出スイッチ６の一方のリード線６ａが接続されている。また、第１接点部材６１の本体に、検出スイッチ６の他方のリード線６ｂに接続されるピン状の接点６４が板ばね６５の上側の端部に対向し、且つ、板ばね６５の下側の端部に対し電気的に絶縁した状態で設けられている。そして、板ばね６５が所定量圧縮されたとき、図４（ｂ）に示す如く、第２接点部材６２が板ばね６５の上側の端部を介して接点６４に接触して検出スイッチ６がオンするようにしている。
【００３５】
第４実施形態でも、検出スイッチ６用の一対のリード線６ａ，６ｂを可動部材たる第２接点部材６２に配線する必要がなく、リード線６ａ，６ｂの断線故障を防止する上で有利である。更に、第４実施形態では、板ばね６５がリード線６ａに接続される接点に兼用されることになり、部品点数を削減してコストダウンを図ることができる。
【００３６】
尚、第４実施形態の変形例として、第２接点部材４４ｂに板ばね６５の上側の端部に電気的に接続される部分を設けると共に、接点６４を第２接点部材４４ｂの上記部分に対向する位置に配置し、板ばね６５が所定量圧縮されたときに、第２接点部材４４ｂの上記部分が接点６４に接触して検出スイッチ６がオンするように構成することも可能である。
【００３７】
以上、本発明の実施形態について図面を参照して説明したが、本発明はこれに限定されない。例えば、上記第２、第３実施形態において、ばね定数の小さな第１ばね４４１や板ばね６５をばね定数の大きな第２ばね４４２の上側に配置することも可能である。この場合、第１ばね４４１又は板ばね６５と第２ばね４４２との間に介設する中間ばね受けで第１接点部材を構成し、感熱ヘッド４２の上端部に第２接点部材を固定すればよい。然し、このものでは、第１と第２の各接点部材が可動部材となるため、リード線６ａ，６ｂの断線故障を防止するには、第２、第３実施形態の方が好ましい。
【符号の説明】
【００３８】
１…天板、２…コンロバーナ、３…五徳、４…鍋底温度センサ、４１…支持パイプ、４２…感熱ヘッド、４３…感熱素子、４４…ばね、４４１…第１ばね、４４２…第２ばね、４４ａ…ばね受け、４４ｂ…中間ばね受け、６…検出スイッチ、６ａ，６ｂ…リード線、６１…第１接点部材、６２…第２接点部材、６３，６４…接点、６５…板ばね。
【図１】
0005580839.tif 000002
【図２】
0005580839.tif 000003
【図３】
0005580839.tif 000004
【図４】
0005580839.tif 000005